【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
（ａ）複数の室部と、
（ｂ）流体ネットワークであって、
（ｉ）上記複数の室部を結合する複数の流体管と、
（ｉｉ）マルチポートバルブとを含む上記流体ネットワークとを有する分析評価カートリッジにおいて、
上記マルチポートバルブは、
（ｙ）ロータ係合部材、バルブ入り口、および上記流体ネットワーク中の１または複数の流体管にアクセス可能な複数のバルブ出口を有するステータと、
（ｚ）上記ステータへとバイアスされたロータであって、上記ロータおよび上記ステータの間に配されたシール部材、バネ、およびステータ係合部材であって上記ステータ係合部材が上記ロータ係合部材と連通するときに上記ロータを係合解除するように構成された上記ロータとを有し、
上記ロータは、係合されたときに、回転させられて上記バルブ入り口を複数の上記バルブ出口の１つに、上記ロータ上で流体コネクタを通して流体的に連結させられ、上記シール部材は残りのバルブ出口をシールすることを特徴とする分析評価カートリッジ。
【請求項２】
上記バネは上記ロータおよび上記マルチポートバルブのキャップの間に配される請求項１記載の分析評価カートリッジ。
【請求項３】
上記バネは、頂部表面、底部表面、上記頂部表面および上記底部表面の間に配され中央垂直軸を有する円筒本体、および、上記中央垂直軸を囲み軸方向に離間され径方向に伸びる複数対の溝、および、上記複数対の溝の上記中央垂直軸と交差する方向に対して直交する位置で上記中央垂直軸と交差する複数の貫通穴を有する請求項１記載の分析評価カートリッジ。
【請求項４】
上記複数対の溝と上記複数の貫通穴とが上記円筒本体内に複数のリブを形成する請求項３記載の分析評価カートリッジ。
【請求項５】
上記バネは波状のステムを有する請求項１記載の分析評価カートリッジ。
【請求項６】
上記バネは２．２２４〜２２．２４１ニュートン（０．５ポンド〜５．０ポンド）のバネ力を有する請求項１記載の分析評価カートリッジ。
【請求項７】
上記ロータは機器インターフェース要素を有する請求項１記載の分析評価カートリッジ。
【請求項８】
上記ステータ係合部材および上記ロータ係合部材は上記ロータを上記ステータから遠ざけるように移動させ上記ステータおよびロータを係合解除する請求項１記載の分析評価カートリッジ。
【請求項９】
上記ステータ係合部材はタブを有し、上記ロータ係合部材はランプを有し、上記タブを上記ランプに乗り上げて上記ロータを上記ステータから遠ざけるように移動させる請求項８記載の分析評価カートリッジ。
【請求項１０】
上記ランプは上昇スロープと下降スロープとを有する請求項９記載の分析評価カートリッジ。
【請求項１１】
上記タブは上記上昇スロープに乗り上げて上記ロータを上記ステータから遠ざけるように移動させ、かつ、上記タブは上記下降スロープに乗り上げて上記ロータを上記ステータに近づくように移動させる上記請求項１０記載の分析評価カートリッジ。
【請求項１２】
上記バルブは、（ａ）機器ステップモータと上記機器インターフェース要素との間の係合を介して上記ロータを回転させることにより、また、（ｂ）上記ステータ係合部材および上記ロータ係合部材を係合解除することにより、上記バルブ入口を上記複数のバルブ出口の１つに上記流体コネクタを介して流体的に結合させ、残りのバルブ出口をステータに抗してシール部材を圧縮させることを介してシールする請求項７記載の分析評価カートリッジ。
【請求項１３】
上記ロータが回転させられて上記バルブ入口を２個またはそれ以上のバルブ出口に流体的に結合し、上記シール部材が残りのバルブ出口をシールする請求項１記載の分析評価カートリッジ。
【請求項１４】
上記シール部材はショアＡ硬度が３５〜９０の間のエラストマーを有する請求項１記載の分析評価カートリッジ。
【請求項１５】
上記ロータは上記バネおよび上記ステータ係合部材を含む一体要素であり、上記シール部材は上記一体要素に結合される請求項１記載の分析評価カートリッジ。
【請求項１６】
上記複数の室部は試料室部、検出室部、および廃棄物室部を有する請求項１記載の分析評価カートリッジ。
【請求項１７】
上記試料室部は、上記バルブ入口に結合されたフィルタ出口管を有する試料室部管に結合される請求項１６記載の分析評価カートリッジ。
【請求項１８】
上記カートリッジは２またはそれ以上のマルチポートバルブを有する請求項１記載の分析評価カートリッジ。
【請求項１９】
分析評価カートリッジにおいてマルチポートバルブを利用する方法であって、
上記カートリッジは、複数の室部と、流体ネットワークであって、（ｉ）上記複数の室部を結合する複数の流体管と、（ｉｉ）マルチポートバルブとを含む上記流体ネットワークとを有し、
上記マルチポートバルブは、
（ｘ）キャップと、
（ｙ）ロータ係合部材、バルブ入り口、および上記流体ネットワーク中の１または複数の流体管にアクセス可能な複数のバルブ出口を有するステータと、
（ｚ）上記ステータへとバイアスされたロータであって、上記ロータおよび上記ステータの間に配されたシール部材、バネ、機器インターフェース要素、およびステータ係合部材であって上記ステータ係合部材が上記ロータ係合部材と連動するときに上記ロータを係合解除するように構成された上記ロータとを有し、
上記方法は、
（ａ）上記機器インターフェースを機器ステップモータに接触させるステップと、
（ｂ）上記ロータを回転させて上記ロータ係合部材および上記ステータ係合部材を係合解除するステップと、
（ｃ）上記バルブ入口を上記バルブ出口の１つに上記ロータの流体コネクタを通じて流体的に結合させるステップと、
（ｄ）上記シール部材を上記ステータに接触させて残りのバルブ出口をシールするステップとを有することを特徴とする上記方法。
【請求項２０】
上記一体化されたバネは、頂部表面、底部表面、上記頂部表面および上記底部表面の間に配され中央垂直軸を有する円筒本体、および、上記中央垂直軸を囲み軸方向に離間され径方向に伸びる複数対の溝、および、上記複数対の溝の上記中央垂直軸と交差する方向に対して直交する位置で上記中央垂直軸と交差する複数の貫通穴を有し、
さらに上記シールするステップ（ｄ）は、上記バネを上記中央垂直軸に沿って圧縮して上記シール部材を上記ステータに対してシールするステップを有する請求項１９記載の上記方法。
【請求項２１】
上記複数対の溝および上記複数の貫通穴は上記円筒本体内で複数のリブを形成し、上記シールするステップ（ｄ）は、上記複数のリブを圧縮して上記シール部材を上記ステータに対してシールするステップを有する請求項２０記載の上記方法。
【請求項２２】
上記回転させるステップ（ｂ）は上記ロータを上記ステータから遠ざけて上記ステータ係合部材および上記ロータ係合部材を係合解除させるステップを有する請求項１９記載の上記方法。
【請求項２３】
上記ステータ係合部材はタブを有し、上記ロータ係合部材はランプを有し、上記回転させるステップ（ｂ）は上記タブを上記ランプに乗り上げさせて上記ロータを上記ステータから遠ざけるステップを有する請求項２２記載の上記方法。
【請求項２４】
上記ランプは上昇スロープおよび下降スロープを有し、上記回転させるステップ（ｂ）は、上記タブを上記上昇スロープに乗り上げさせて上記ロータを上記ステータから遠ざけるステップを有する請求項２３記載の上記方法。
【請求項２５】
上記結合させるステップ（ｃ）は、さらに上記タブを上記下降スロープに乗り上げさせて上記ロータを上記ステータかに近づけ、上記バルブ入口を上記バルブ出口の１つに上記ロータの上記流体コネクタを通じて流体的に接続するステップを有する請求項２３記載の上記方法。
【請求項２６】
複数の室部と、上記複数の室部およびマルチポートバルブを接続する複数の流体管を含む流体ネットワークとを有する分析評価カートリッジにおいて流体を移動させる方法であって、
上記マルチポートバルブは、
（ｘ）キャップと、
（ｙ）ロータ係合部材、バルブ入り口、および上記流体ネットワーク中の１または複数の流体管にアクセス可能な複数のバルブ出口を有するステータと、
（ｚ）上記ステータへとバイアスされたロータであって、上記ロータおよび上記ステータの間に配されたシール部材、バネ、機器インターフェース要素、およびステータ係合部材であって上記ステータ係合部材が上記ロータ係合部材と連動するときに上記ロータを係合解除するように構成された上記ロータとを有し、
上記方法は、
（ａ）流体スラッグを上記流体ネットワーク中へ案内するステップと、
（ｂ）上記流体ネットワーク中の１または複数の流体結合部に圧力または真空を加えて流体スラグを流体ネットワークを通じて搬送させるステップと、
（ｃ）上記マルチポートバルブを係合させて上記バルブ入口を上記バルブ出口の１つに上記ロータの流体コネクタを通じて流体的に結合させて流体スラグを流体ネットワークを通じて方向付け、これと同時に残りのバルブ出口を上記シール部材によりシールするステップとを有することを特徴とする上記方法。